(57)【特許請求の範囲】
【請求項１】
空気中の塵埃を捕集する着脱可能なエアフィルタと、前記エアフィルタに沿って駆動可能な清掃機構と、送風機構と、吸引ノズルと、前記吸引ノズルに連通された吸引装置と、排気ダクトを具備した空気調和機において、運転を開始する信号を発信する空調機運転開始手段と、前記空調機運転開始手段からの信号を読み取り出力する空調機運転開始読取出力手段と、空気調和機の電源を初めて投入したかどうかを判別する電源初回投入判別手段と、空気調和機の電源が初回投入したかどうかを記憶する電源初回投入有無記憶手段とを有し、前記電源初回投入判別手段と前記電源初回投入有無記憶手段からの出力に基づき、前記電源投入が初回の時は前記清掃機構を駆動させるとともに、２回目以降の時には空調機を運転開始させる清掃機構駆動信号出力手段を備えたことを特徴とする空気調和機の清掃機構制御装置。
【発明の詳細な説明】
【技術分野】
【０００１】
本発明は、エアフィルタの清掃を自動的に行うようにした空気調和機の清掃機構制御装置に関するものである。
【背景技術】
【０００２】
現在、空気調和機の省エネ推進の高まりから、エアフィルタの清掃を自動的に行うようにした空気調和機が広く普及してきた。
【０００３】
様々な自動清掃機構が考えられている中で、実用性の面からエアフィルタの着脱を可能にした機構が主流となっており、その清掃機構においては、日常はエアフィルタの自動清掃を行い、長期的に蓄積するような油成分等の汚れは、エアフィルタを外して直接に洗浄
する構成を取っている。
【０００４】
そしてこの構成を取った場合、エアフィルタの着脱に際して人的影響が含まれるようになるため、エアフィルタの施工を容易にする工夫や、施工不備時に不具合に対処できる手段を備えておく制御を考えることが必要となってきた。
【０００５】
着脱可能なエアフィルタを備えた清掃機構制御装置として、エアフィルタの施工不備時には清掃機構部がエアフィルタに引っかかり自動清掃が停止するものがある（未公開自社出願２００５−２９３５８９号参照）。
【０００６】
これはエアフィルタの引っかかった状況に応じて清掃機構部の駆動方向を選択して清掃機構部をエアフィルタの通風路外に駆動させることができるため、早期に不具合を解決して復帰の対処ができるといったメリットがある。
【発明の開示】
【発明が解決しようとする課題】
【０００７】
しかしながら、前記従来の制御装置を用いた空気調和機においては、エアフィルタの施工に不具合があった場合、その不具合に気が付くタイミングは、運転を開始して空調機を使用して１回目の掃除を行なう時、すなわちユーザが空調機を利用してからしばらく経ってからの事であり、不具合の対処は施工業者ではなくユーザ自身が対処しなければならなかった。
【０００８】
その結果ユーザにとって利便性に欠けるものとなっていたため、エアフィルタ装着不備をユーザが使用するより前に見付けられるような手段を備えておく必要性があった。
【課題を解決するための手段】
【０００９】
前記従来の課題を解決するために、本発明の空気調和機の清掃機構制御装置は、空気中の塵埃を捕集する着脱可能なエアフィルタと、前記エアフィルタに沿って駆動可能な清掃機構と、送風機構と、吸引ノズルと、前記吸引ノズルに連通された吸引装置と、排気ダクトを具備した空気調和機において、運転を開始する信号を発信する空調機運転開始手段と、前記空調機運転開始手段からの信号を読み取り出力する空調機運転開始読取出力手段と、空気調和機の電源を初めて投入したかどうかを判別する電源初回投入判別手段と、空気調和機の電源が初回投入したかどうかを記憶する電源初回投入有無記憶手段とを有し、前記電源初回投入判別手段と前記電源初回投入有無記憶手段からの出力に基づき、前記電源投入が初回の時は前記清掃機構を駆動させるとともに、２回目以降の時には空調機を運転開始させる清掃機構駆動信号出力手段を備えたことを特徴としたものである。
【００１０】
上記手段を用いることにより、エアフィルタの装着に不具合があった場合でも、空調機の電源初回投入時、すなわち施工業者が空調機を据え付けた後に行なう試運転時に、清掃機構を駆動させるようにして、施工業者が居る間にエアフィルタの装着不備を見付けられ、早期に不具合に対応することができる。
【発明の効果】
【００１１】
本発明の空気調和機の清掃機構制御装置は、エアフィルタの装着不備の場合、施工業者が空調機を据え付けた後に行なう試運転時に清掃機構を駆動させるようにするため、施工業者が居る間に不具合を対処することができ、ユーザの利便性が高まる。
【発明を実施するための最良の形態】
【００１２】
本発明は、空気中の塵埃を捕集する着脱可能なエアフィルタと、前記エアフィルタに沿って駆動可能な清掃機構と、送風機構と、吸引ノズルと、前記吸引ノズルに連通された吸
引装置と、排気ダクトを具備した空気調和機において、運転を開始する信号を発信する空調機運転開始手段と、前記空調機運転開始手段からの信号を読み取り出力する空調機運転開始読取出力手段と、空気調和機の電源を初めて投入したかどうかを判別する電源初回投入判別手段と、空気調和機の電源が初回投入したかどうかを記憶する電源初回投入有無記憶手段とを有し、前記電源初回投入判別手段と前記電源初回投入有無記憶手段からの出力に基づき、前記電源投入が初回の時は前記清掃機構を駆動させるとともに、２回目以降の時には空調機を運転開始させる清掃機構駆動信号出力手段を備えているため、エアフィルタの装着に不具合があった場合でも、空調機の電源初回投入時、すなわち施工業者が空調機を据え付けた後に行なう試運転時に、清掃機構を駆動させるようにして、施工業者が居る間にエアフィルタの装着不備を見付けられ、早期に不具合に対応することができる。
【００１３】
以下、本発明の実施の形態について、図面を参照しながら説明する。なお、この実施の形態によって本発明が限定されるものではない。
【００１４】
（実施の形態）
図１は、本発明の清掃機構の概略図、図２は本発明の実施の形態における制御のブロック線図、図３は制御のフローチャートを示すものである。
【００１５】
図１において、着脱可能なエアフィルタ１１の清掃を自動的に行うように、清掃部分１３は左右方向に移動が可能となるようなガイド部１２を有しているため、エアフィルタに沿って左右方向に移動ができる。そして清掃部１３が吸引式のノズルの形体をとり、吸引ノズルには吸引ダクト１４と吸引装置１５、および排気ダクト１６が連通され、吸引ノズルから吸い込まれた埃は、排気ダクトから放出されるため、エアフィルタ近辺の埃が取り除かれるため清潔になるという構造の清掃機構である。
【００１６】
図２、図３において、施工業者が空調機を据え付けエアフィルタをセットしてから試運転をすべく、リモコンや試運転ボタン等の空調機運転開始発信手段２１により空調機を運転させる（ステップ３１）。
【００１７】
そして運転開始信号はマイコン２２内の空調機運転開始読取出力手段２３で読み取り空調機を運転させる信号を出力するわけだが、運転が据え付けられてから初回の運転である場合は、マイコン２２内の電源初回投入判別手段２４にて電源が初回投入されたと判別し（ステップ３２のＮ）、空調機を運転させる前にエアフィルタ装着の正誤を確認するべく、清掃機構部駆動信号出力手段２６により清掃機構２７を強制的に一往復させる（ステップ３３）。そして電源初回投入有無記憶手段２５により電源電圧が初回投入済みと記憶させてから（ステップ３４）、空調機の運転を開始させる（ステップ３５）。
【００１８】
もし清掃機構２７を一往復させたときにエアフィルタが誤って装着されていれば、清掃部１３がエアフィルタに引っかかり左右方向への駆動ができなくなるため、エラーランプ等の信号を出して、不具合を知らせて、対応を促すようにすればよい。
【００１９】
また、２回目以降の電源投入時に関しては、マイコン２２内で電源初回投入は既にされたと記憶されているため、電源初回投入判別手段２４にて電源初回投入済みと判別し（ステップ３２のＹ）、運転信号発信後は（ステップ３１）通常通りに空調機の運転を開始する（ステップ３５）。
【００２０】
以上のように、本実施の形態においては、運転を開始する信号を発信する空調機運転開始手段と、前記空調機運転開始手段からの信号を読み取り出力する空調機運転開始読取出力手段と、空気調和機の電源を初めて投入したかどうかを判別する電源初回投入判別手段と、空気調和機の電源が初回投入したかどうかを記憶する電源初回投入有無記憶手段と、
前記電源初回投入判別手段と前記電源初回投入有無記憶手段からの出力により清掃機構を動作させる制御であるため、エアフィルタの装着に不具合があった場合でも、空調機の電源初回投入時、すなわち施工業者が空調機を据え付けた後に行なう試運転時に、空調機を運転する前に清掃機構を一往復駆動させてエアフィルタ装着の正誤を確認するようにしたため、施工業者が居る間にエアフィルタの装着不備を見付けられ、早期に不具合に対応することができ、その結果ユーザの利便性が高まる。
【産業上の利用可能性】
【００２１】
以上のように、本発明にかかる空気調和機の清掃機構制御装置は、エアフィルタの装着不備を見付けられ、早期に不具合に対応することができるので、清掃機構を搭載した空気清浄機や換気扇等にも適用できる。
【図面の簡単な説明】
【００２２】
【図１】本発明の清掃機構の概略図
【図２】本発明の実施の形態における制御のブロック線図
【図３】本発明の実施の形態における制御のフローチャート
【符号の説明】
【００２３】
１１  エアフィルタ
１２  清掃機構のガイド部
１３  吸引ノズル
１４  吸引ダクト
１５  吸引装置
１６  排気ダクト
２２  マイコン
【図１】
0004765541.tif 000002
【図２】
0004765541.tif 000003
【図３】
0004765541.tif 000004